(57)【特許請求の範囲】
【請求項１】
液晶表示装置の矩形状のガラス製の基板を吸着して受け渡すハンドリング装置において、
平板状の装置本体と、
この装置本体の長手方向一端部に幅方向に沿って設けられ上記基板のデバイスエリア外の一端部を吸着保持する吸着部と、
上記本体の上記長手方向一端部の一側を除く三側に設けられ上記基板の上記一端部以外の部分を点接触状態で支持する複数の接触ピンと
を具備したことを特徴とする基板受け渡し用ハンドリング装置。
【発明の詳細な説明】
【０００１】
【産業上の利用分野】
この発明はとくに液晶表示装置のガラス製の基板を受け渡すために用いられるハンドリング装置に関する。
【０００２】
【従来の技術】
たとえば液晶表示装置の製造過程においては、ガラス製の基板に回路パタ−ンを形成するためなどに種々の工程があり、各工程間において上記基板を受け渡すためにロボットが用いられている。つまり、ロボットにはハンドリング装置が設けられ、このハンドリング装置によって所定の工程で所定の処理が行われた基板を保持して次工程へ受け渡すようにしている。
【０００３】
ガラス製の基板に機械的な外力を加えると変形したり、カケなどの損傷が生じ易いため、上記ハンドリング装置では上記ガラス基板を機械的に挟持せず、吸引力によって吸着するということが行われている。
【０００４】
図４に従来のハンドリング装置を示す。同図中１はハンドリング装置の装置本体である。この装置本体１は上面を吸着面１ａとした平板状をなしていて、その長手方向一端面側には図示しない吸引ポンプに連通する吸引口体２が設けられている。この吸引口体２には吸引路３が形成され、この吸引路３は上記吸引口体２の通路２ａに連通している。
【０００５】
上記装置本体１には、その吸着面１ａに一端を開口させた複数の吸引孔４が長手方向および幅方向に所定の間隔で形成されている。各吸引孔４の他端は上記吸引路３に連通している。したがって、上記吸引ポンプを作動させれば、上記吸引路３に連通した各吸引孔４に上記吸引口体２に接続された吸引ポンプの吸引力が作用するから、その吸引力によって上記吸着面１ａに基板５が吸着保持されるようになっている。
【０００６】
ところで、上記構成のハンドリング装置においては、上記基板５の裏面のほぼ全体が上記装置本体１の吸着面１ａに接触した状態で吸着保持される。上記基板５の裏面が吸着面１ａに面接触すれば、上記吸着面１ａに付着していた微粒子が上記基板５の裏面に転移し易くなる。微粒子の転移は基板５の装置本体１に対する接触面積が大きくなる程、多くなり、しかも基板５のほぼ全面が吸着面１ａに接触することで、そのデバイスエリアに微粒子が付着し、不良品の発生を招くということもある。
【０００７】
【発明が解決しようとする課題】
このように、従来のハンドリング装置は、その装置本体に基板を面接触状態で吸着保持する構成であるため、その吸着される面に微粒子が付着し易いということがあった。
【０００８】
この発明は上記事情に基づきなされたもので、その目的とするところは、装置本体に吸着される基板に微粒子が付着しずらいようにした基板受け渡し用ハンドリング装置を提供することにある。
【０００９】
【課題を解決するための手段】
上記課題を解決するためにこの発明は、液晶表示装置の矩形状のガラス製の基板を吸着して受け渡すハンドリング装置において、
平板状の装置本体と、
この装置本体の長手方向一端部に幅方向に沿って設けられ上記基板のデバイスエリア外の一端部を吸着保持する吸着部と、
上記本体の上記長手方向一端部の一側を除く三側に設けられ上記基板の上記一端部以外の部分を点接触状態で支持する複数の接触ピンと
を具備したことを特徴とする。
【００１０】
【作用】
上記構成によれば、基板を吸着保持される一端部だけが面接触し、他の部分は点接触であるから、基板と装置本体との接触面積が減少し、微粒子が装置本体から基板へ転移しずらく、しかも基板はデバイスエリア外の一端部が吸着保持されるため、吸着保持によって微粒子が転移しても、不良品の発生を招くことがない。
【００１１】
【実施例】
以下、この発明の一実施例を図１乃至図３を参照して説明する。図１と図２に示すハンドリング装置は装置本体１１を備えている。この装置本体１１は矩形の平板状をなしていて、その長手方向一端部には吸引路１２がＴ字状に形成されている。上記吸引路１２は、図３に示すように上記装置本体１１の下面１１ｂに開放する溝１３ａと、この溝１３ａの開放面を閉塞した薄い帯状板１３ｂとで形成されている。
【００１２】
上記吸引路１２の上記装置本体１１の幅方向に沿う部分１２ａには複数、この実施例では３つの吸引孔１４（図３に１つだけ示す）が一端を上記吸引路１２に連通させ、他端を装置本体１１の上面１１ａに形成された円形状の凹部１５に連通させて所定の間隔で横一列に設けられている。上記凹部１５には、吸着部を構成する円盤状のノズル板１６が下面を気密に接合させて固定されている。このノズル板１６には、その上面の中央部分に断面が円形状で、上面が平面からなる接触面１７ａで、その接触面１７ａが装置本体１１の上面１１ａよりも上方へ突出した突起１７が形成されている。この突起１７の部分には上記吸引孔１４に連通するノズル孔１８が厚さ方向に貫通して形成されている。
【００１３】
上記吸引路１２の上記装置本体１１の長手方向に沿う部分１２ｂの末端は上記装置本体１１の下面に開口した連通孔１９に連通している。この連通孔１９は、装置本体１１の一端部が図２に鎖線で示すロボットのハンド２１に取り付けられた状態において、そのハンド２１に形成された連通路２２を介して図示しない吸引ポンプに連通するようになっている。したがって、吸引ポンプが作動すれば、上記吸引路１２および吸引孔１４を介して上記ノズル孔１８に吸引力が発生する。
【００１４】
上記装置本体１１の一端部を除く部分には、この装置本体を１１を軽量化するための開口部２３が形成されている。装置本体１１の上記吸引路１２側の一側を除く三側の上面には、上記開口部２３の周囲に沿って複数の接触ピン２４が所定の間隔で突設されている。この接触ピン２４は、図１と図２に鎖線で示す液晶表示装置の矩形状のガラス製の基板２５を、上記ノズル板１６の接触面１７ａとで水平（同じ高さ）に支持するためのもので、上記基板２５を傷付けることなく点接触状態で支持できるよう、その上面が半球形状などの凸曲面に形成されている。
【００１５】
上記構成のハンドリング装置によれば、吸引ポンプを作動させてノズル孔１８に吸引力を発生させることで、基板２５は、その下面の長手方向一端部だけが突起１７の接触面１７ａに接触して吸着保持され、他の部分は接触ピン２４に点接触状態で支持される。
【００１６】
つまり、基板２５は、その長手方向一端部の、突起１７の接触面１７ａに対応するわずかな部分だけが面接触状態で支持され、他の部分は接触ピン２４によって点接触状態で支持される。そのため、上記基板２５は従来に比べて装置本体１１との接触面積を大幅に減少させて吸着保持することができるから、この基板２５の裏面に装置本体１１に付着している微粒子が移転するのをほとんどなくすことができる。
【００１７】
上記接触ピン２４は基板２５の裏面に点接触しているから、その接触部分から基板２５へ微粒子が転移するということはほとんどなく、上記突起１７の接触面１７ａに吸着保持される基板２５の長手方向一端部は上記基板２５に形成されるデバイスのエリア外となるため、たとえ上記接触面１７ａから基板２５へ微粒子が転移しても、不良品の発生を招くようなことがない。さらに、上記接触ピン２４の上面は凸曲面に形成されているから、基板２５の裏面との接触によってこの基板２５に傷を付けるようなことがなくなる。
【００１８】
【発明の効果】
以上述べたようにこの発明は、ハンドリング装置の装置本体に、上記基板のデバイスエリア外となる一端部を吸着保持する吸着部と、上記基板の一端部以外の部分を点接触状態で支持する複数の接触ピンとを設けるようにした。
【００１９】
そのため、装置本体に吸着保持される基板は、その一端部だけが上記装置本体に面接触し、他の部分は点接触であるため、従来に比べて装置本体との接触面が大幅に減少するから、上記装置本体から上記基板への微粒子の転移を減少させることができる。基板はデバイスエリア外の一端部が面接触によって吸着保持されるため、たとえ面接触によって微粒子が基板へ転移しても、不良品の発生を招くのを防止することができる。
【図面の簡単な説明】
【図１】この発明の一実施例の全体構成を示す平面図。
【図２】同じく図１のＡ−Ａ線に沿う断面図。
【図３】同じく装置本体に設けられるノズル板の部分の拡大断面図。
【図４】従来のハンドリング装置の断面図。
【符号の説明】
１１…基板、１６…ノズル板（吸着部）、１７…突起（吸着部）、１７ａ…接触面（吸着部）、１８…ノズル孔（吸着部）、２４…接触ピン、２５…基板。
【図１】
0003681763.tif 000002
【図２】
0003681763.tif 000003
【図３】
0003681763.tif 000004
【図４】
0003681763.tif 000005